(57)【要約】【課題】本発明は、起動時における線光源の低温部を低減させて暗部の発生を抑制した光源支持機構を提供する。また、始動時の光ムラを低減した照明装置や液晶表示装置を提供する。【解決手段】冷陰極管２１の下端よりも上方に突出した頂部２６ａを備えた糸支持台２６が設けられ、糸支持台２６の頂部２６ａに糸２７が掛けられる。糸２７は糸支持台２６の整列方向に沿って糸支持台２６の頂部２６ａと、冷陰極管２１の下端と、に交互に接触して設けられる。このように構成することによって、糸２７の張力が冷陰極管２１に加えられるため、冷陰極管２１の振動や音鳴りが抑制される。また、糸２７と冷陰極管２１との接触面積は小さいため冷陰極管２１の熱が移りにくく、特に始動直後における低温部の発生を抑制することができる。したがって、暗部の発生を抑制することが可能となる。【選択図】図２
2009064712.tif 000002
【特許請求の範囲】
【請求項１】
軸方向を等しくして所定の方向に整列する複数の円柱状の線光源を支持する光源支持機構において、
前記線光源の周面に接触する糸を備えることを特徴とする光源支持機構。
【請求項２】
上部が開口する開口部を備えた円環状の支持部を備えるとともに前記支持部の内部に挿入される前記線光源の周面を支持するクリップをさらに備え、
前記糸が、前記線光源の下端に接触することを特徴とする請求項１に記載の光源支持機構。
【請求項３】
前記線光源の下端より上方となる位置で前記糸を下方向から支持する下方支持部材をさらに備え、前記下方支持部材が、前記線光源の間に配置されることを特徴とする請求項２に記載の光源支持機構。
【請求項４】
上部が開口する開口部を備えた円環状の支持部を備えるとともに前記支持部の内部に挿入される前記線光源の周面を支持するクリップをさらに備え、
前記糸が、前記線光源の上端に接触することを特徴とする請求項１に記載の光源支持機構。
【請求項５】
前記線光源の上端より下方となる位置で前記糸を上方向から支持する上方支持部材をさらに備え、前記上方支持部材が、前記線光源の間に配置されることを特徴とする請求項４に記載の光源支持機構。
【請求項６】
上部が開口する開口部を備えた円環状の支持部を備えるとともに前記支持部の内部に挿入される前記線光源の周面を支持するクリップをさらに備え、前記糸が、前記所定の方向に隣接する前記線光源のうちの一方の上端に接触するとともに、他方の前記線光源の下端と接触することを特徴とする請求項１に記載の光源支持機構。
【請求項７】
前記糸が少なくとも２本備えられるとともに前記線光源の軸方向に沿って隣接し、隣接する前記糸の一方が上端と接触する前記線光源に対して、他方の前記糸が当該線光源の下端と接触することを特徴とする請求項６に記載の光源支持機構。
【請求項８】
請求項１〜請求項７のいずれかに記載の光源支持機構と、複数の前記線光源と、を備えることを特徴とする照明装置。
【請求項９】
請求項８に記載の照明装置と、当該照明装置から出射される光を選択的に透過または遮断する液晶パネルと、を備えることを特徴とする液晶表示装置。
【発明の詳細な説明】
【技術分野】
【０００１】
本発明は、液晶表示装置などに用いられる照明装置に備えられる冷陰極管などの線光源を支持する光源支持機構に関する。
【背景技術】
【０００２】
液晶表示装置は、液晶パネルが光を照射する照明装置から出射される光を選択的に透過または遮断することで画像を表示する装置である。この照明装置には、照明装置の光の出射方向に対して垂直な方向に光を出射する光源を備えるとともに出射される光の方向を変えるとともに拡散及び均一化して照射するエッジ型や、光の照射方向と同じ方向に光を出射する光源を備え出射される光を拡散及び均一化して照射する直下型とがある。
【０００３】
特に、大型の液晶表示装置などの均一で大きな光量が必要となる液晶表示装置には、線光源である冷陰極管が複数整列した構成を備えた直下型の照明装置がよく用いられる。このような直下型の照明装置であれば、光源から出射される光を容易に拡散及び均一化することができるため、照明装置を大型化しても光ムラが発生しにくい。
【０００４】
また、このような照明装置には、冷陰極管に電力を供給するインバータをＰＷＭ（Pulse Width Modulation）で駆動制御することで調光を行うものがある。このＰＷＭ調光では、電圧制御調光などより調光比を大きくすることが可能となる。
【０００５】
しかし、ＰＷＭ調光を行うと、急激な電流変化による電磁ノイズに起因して冷陰極管に振動や音鳴りが発生することがある。これに対し、冷陰極管に接触する部材を冷陰極管に設けることによれば振動を吸収することができる（特許文献１参照）。また、特に直下型の照明装置であれば、複数の冷陰極管を支持するクリップの数を増やすことで容易に振動や音鳴りを低減することが可能となる。
【特許文献１】特開２００５−２６８０６４号公報
【発明の開示】
【発明が解決しようとする課題】
【０００６】
しかしながら、直下型の照明装置において、冷陰極管を支持するクリップを増加させると、冷陰極管とクリップとが接触する部分が増えてしまう。このような冷陰極管とクリップとが接触する部分においては、クリップによって熱が奪われやすくなる。そのため、冷陰極管の始動直後などにおいてこの部分の温度が上昇しにくく、周囲よりも温度が低い低温部となる。すると、低温部から出射される光が暗くなり、冷陰極管に暗部が生じて照明装置が出射する光にムラが生じる原因となる。
【０００７】
そこで、本発明は、起動時における線光源の低温部を低減させて暗部の発生を抑制した光源支持機構を提供することを目的とする。また、始動時の光ムラを低減した照明装置や液晶表示装置を提供することを目的とする。
【課題を解決するための手段】
【０００８】
上記目的を達成するために本発明は、軸方向を等しくして所定の方向に整列する複数の円柱状の線光源を支持する光源支持機構において、前記線光源の周面に接触する糸を備えることを特徴とする。
【０００９】
また、上記構成の光源支持機構において、上部が開口する開口部を備えた円環状の支持部を備えるとともに前記支持部の内部に挿入される前記線光源の周面を支持するクリップをさらに備え、前記糸が、前記線光源の下端に接触することとしても構わない。
【００１０】
このような構成とすることで、クリップの開口部である上側と糸が接触しない方向とが同じ方向となる。そのため、線光源の上側から出射される光は、クリップや糸によって遮られなくなる。
【００１１】
また、前記線光源の下端より上方となる位置で前記糸を下方向から支持する下方支持部材をさらに備え、前記下方支持部材が、前記線光源の間に配置されることとしても構わない。
【００１２】
また、上記構成の光源支持機構において、所定の弛みを備えた前記糸を下方支持部材に支持させるとともに、前記線光源が前記クリップの前記開口部から挿入されて前記糸と接触することとしても構わない。このように構成することで、線光源をクリップに挿入するのみで、容易に糸で線光源を支持する構成を得ることができる。
【００１３】
また、上記構成の光源支持機構において、上部が開口する開口部を備えた円環状の支持部を備えるとともに前記支持部の内部に挿入される前記線光源の周面を支持するクリップをさらに備え、前記糸が、前記線光源の上端に接触することとしても構わない。
【００１４】
また、上記構成の光源支持機構において、前記線光源の上端より下方となる位置で前記糸を上方向から支持する上方支持部材をさらに備え、前記上方支持部材が、前記線光源の間に配置されることとしても構わない。
【００１５】
このように構成することによって、クリップの開口部と同じ上側において線光源と糸とが接触し、線光源に下向きの張力が与えられることとなる。そのため、クリップの開口部から線光源が脱落することを防ぐことが可能となる。
【００１６】
また、上記構成の光源支持機構において、上部が開口する開口部を備えた円環状の支持部を備えるとともに前記支持部の内部に挿入される前記線光源の周面を支持するクリップをさらに備え、前記糸が、前記所定の方向に隣接する前記線光源のうちの一方の上端に接触するとともに、他方の前記線光源の下端と接触することとしても構わない。
【００１７】
このように構成すると、糸が線光源の整列方向にそって、線光源の上端、下端と交互に接触することとなる。そのため、特別な支持部材を要することなく、糸を線光源に接触させることが可能となる。したがって、構成の簡略化を図ることができる。
【００１８】
また、上記構成の光源支持機構において、前記糸が少なくとも２本備えられるとともに前記線光源の軸方向に沿って隣接し、隣接する前記糸の一方が上端と接触する前記線光源に対して、他方の前記糸が当該線光源の下端と接触することとしても構わない。
【００１９】
このように構成すると、糸が、整列する線光源のそれぞれに対して、上端、下端と順に交互に掛かることとなる。さらに、一つの線光源において、軸方向に対して整列する糸が、上端、下端と順に交互に掛かることとなる。したがって、接触する糸から線光源に与えられえる張力に偏りが生じにくくなるため、線光源にかかる力は釣り合いやすくなる。そのため、線光源を安定して支持することが可能となる。
【００２０】
また、上記構成の光源支持機構において、前記線光源の、前記所定の方向及び軸方向と垂直な方向である上下方向における上端と下端とに前記糸が接触し、前記糸が、前記所定の方向に隣接する前記線光源のうちの一方の上端に接触するとともに、他方の前記線光源の下端と接触することとしても構わない。
【００２１】
また、上記構成の光源支持機構において、前記糸が少なくとも２本備えられるとともに前記線光源の軸方向に沿って隣接し、隣接する前記糸の一方が上端と接触する前記線光源に対して、他方の前記糸が当該線光源の下端と接触することとしても構わない。
【００２２】
このように構成することで、線光源を支持するために必要となるクリップを備えない構成とすることが可能となる。したがって、クリップによって熱が奪われることが防止される。また、クリップの代わりに、熱を奪いにくい糸によって線光源を支持することが可能となる。
【００２３】
また、上記構成の光源支持機構において、前記線光源が冷陰極管であることとしても構わない。また、上記構成の光源支持機構において、前記糸の表面が、光を反射する白色や鏡面となっていても構わないし、前記糸が、光が透過する透明であるとしても構わない。
【００２４】
また、本発明の照明装置は、上述の光源支持機構と、複数の前記線光源と、を備えることを特徴とする。
【００２５】
また、本発明の照明装置は、上述した照明装置と、当該照明装置から出射される光を選択的に透過または遮断する液晶パネルと、を備えることを特徴とする。
【発明の効果】
【００２６】
本発明によると、糸が線光源に接触することとなり、線光源の振動や音鳴りを低減することが可能となる。また、糸と線光源との接触面積は小さいものとなるため、クリップを接触させることによって振動や音鳴りを低減させる場合と比較して、線光源から熱が奪われにくくなる。したがって、始動直後における線光源の低温部の発生を抑制することが可能となり、暗部の発生を抑制することができる。
【発明を実施するための最良の形態】
【００２７】
＜第１実施形態＞
以下に本発明の第１実施形態について図面を参照して説明する。まず、本実施形態における液晶表示装置の構成の概略について図１を用いて説明する。図１は第１実施形態における液晶表示装置の分解斜視図である。なお、以下において液晶表示装置１が画像を表示する方向を上方向として説明する。
【００２８】
図１に示すように、本実施形態における液晶表示装置１は、上面から光を出射する照明装置２と、照明装置２から出射される光を下面から入射させるとともに入射した光を選択的に透過または遮断することで上面から出射する光を制御して画像を表示する液晶パネル３と、を備えている。
【００２９】
照明装置２は、軸方向が略等しい方向となるように所定の方向に複数整列して配置される円柱状の線光源である冷陰極管２１と、冷陰極管２１の周面を支持する複数のクリップ２２と、冷陰極管２１の下部に設けられるとともに冷陰極管２１から出射される光を反射する反射板２３と、冷陰極管２１の上部に設けられるとともに冷陰極管２１から出射される光を拡散して均一化させる拡散板２４と、冷陰極管２１の両端にそれぞれ接続して冷陰極管２１に電力を供給する電極２５と、を備える。
【００３０】
クリップ２２は、上部が開口した開口部２２ｂを備える円環状の支持部２２ａを備え、支持部２２ａの下部に設けられた固定部２２ｃが反射板２３に形成された固定孔２３ａに挿通されて固定される。また、反射板２３上に固定されたクリップ２２の支持部２２ａの開口部２２ｂから、支持部２２ａの内側に冷陰極管２１が挿入され、冷陰極管２１の周面がクリップ２２に支持される。
【００３１】
また、反射板２３上には、上方向に突出する糸支持台２６が複数設けられる。この糸支持台２６は、冷陰極管２１の整列方向と略平行な方向に沿って整列する。また、糸支持台２６は冷陰極管２１の間にそれぞれ設けられる。また、冷陰極管２１の整列方向と略平行な方向に沿って張られるとともに整列した糸支持台２６の列毎に、糸２７が備えられる。なお、このクリップ２２や糸支持台２６、糸２７を含めた冷陰極管２１の支持機構についての詳細は後述する。
【００３２】
液晶パネル３は、液晶層（不図示）を挟持する二枚の基板３１、３２を備える。基板３１、３２は例えばガラスなどの材料から成り、マトリックス状に整列された薄膜トランジスタ（Ｔｈｉｎ  Ｆｉｌｍ  Ｔｒａｎｓｉｓｔｏｒ；ＴＦＴ、不図示）が備えられる。ＴＦＴは、液晶に加えられる電圧を制御することで液晶の配向を制御する。また、液晶パネル３の上面及び下面にはそれぞれ偏光板３３、３４が設けられる。偏光板３３は基板３２の下方に設けられ、所定の方向に振動する光のみを基板３２に入射させる。また、偏光板３４は基板３１の上方に設けられ、基板３１から出射される光のうち所定の方向に振動する光のみを透過して上方に出射する。
【００３３】
次に、図１を用いて液晶表示装置１の動作について説明する。まず、照明装置２の動作について説明する。まず、線光源である冷陰極管２１に電極２５を介して電力が供給され、それによって冷陰極管２１から光が出射される。冷陰極管２１から出射された光は反射板２３や照明装置２の側面に設けられる筐体（不図示）などによって反射される。そして、照明装置２の上面へと向かった光が拡散板２４の下面から入射し、拡散板２４によって拡散及び均一化されて拡散板２４の上面から出射される。
【００３４】
次に、液晶パネル３の動作について説明する。照明装置２の上面、即ち拡散板２４の上面から出射される光は、次に液晶パネル３の下面に備えられた偏光板３４に入射する。偏光板３４は一つの方向に振動する光のみを透過させる。そのため、基板３２に入射する光の振動方向が一つの方向に揃えられる。そして、ＴＦＴによって画素毎に液晶の配向を選択的に制御することによって、光の振動方向を制御する。例えば、電圧を印加した液晶を光が透過する場合には光の振動方向がほぼ変化しないが、電圧を印加していない液晶を光が透過する場合には光の振動方向が略９０°程度変化するように制御される。
【００３５】
さらにこの場合、偏光板３３が透過させる光の振動方向が偏光板３４が透過させる光の振動方向と９０°異なるように構成すると、液晶に電圧を印加することで振動方向を変化させずに透過させた光は偏光板３３によって遮断される。一方、液晶に電圧を印加せずに振動方向を略９０°変化させた光は偏光板３３を透過する。このように、画素毎に光の透過、遮断を制御することによって画像が表示される。
【００３６】
なお、上述した液晶表示装置１は一例であり、他の構成であっても構わない。例えば、偏光板３３、３４が透過させる光の振動方向を同じ方向にして、電圧を印加した液晶を透過する光が偏光板３３を透過することとしても構わない。
【００３７】
また、拡散板２４が複数の光学シートを備えるものであっても構わない。例えば、光が進む方向を上向きに制御するプリズムシートや、光を拡散させる拡散シートなどを複数組み合わせて成るものであっても構わない。
【００３８】
また、隣接する冷陰極管２１に設けられるクリップ２２が、冷陰極管２１の整列方向に沿って整列しないこととしても構わない。また、クリップ２２が冷陰極管２１の軸方向に沿って等間隔で配置されないこととしても構わない。特に、冷陰極管２１の一端近傍における間隔を狭く、他端近傍における間隔を広くしても構わなく、冷陰極管２１の一端近傍にインバータを配置しても構わない。この構成にすることによって、冷陰極管２１の振動や音鳴りを効率よく低減することが可能となる。
【００３９】
また、本例では、図１に示すように冷陰極管２１の整列方向と略平行な方向に整列する糸支持台２６が、同様に冷陰極管２１の整列方向と略平行な方向に整列する２列のクリップ２２の間に１列と、２列のクリップ２２の両方の外側に１列ずつと、の合計３列配置される構成を示しているが、これ以外の配置であっても構わない。例えば、２列のクリップ２２の間に糸支持台２６を２列配置しても構わない。
【００４０】
また、糸２７の両端は、筐体に接続されて固定されるものであっても構わないし、糸支持台２６に接続されて固定されることとしても構わない。また、糸２７の両端の固定される位置が、冷陰極管２１の下端より上方となっても構わない。
【００４１】
次に、図２を用いて本実施形態における光源支持機構の構成について説明する。図２は、本実施形態における光源支持機構の斜視図である。図２に示すように、本実施形態ではクリップ２２の支持部２２ａの内側に冷陰極管２１が挿入されるとともに、冷陰極管２１の下端に糸２７が接触する。そのため、上向きの糸２７の張力が冷陰極管２１に加えられる構成となる。
【００４２】
糸支持台２６は、少なくとも冷陰極管２１の下端よりも上方に突出した頂部２６ａを備えており、糸支持台２６の頂部２６ａに糸２７が掛けられる。糸支持台２６は、上方ほど断面積が小さくなる形状となる。糸支持台２６の頂部２６ａは、冷陰極管２１の軸方向に沿って延びた形状となっており、糸２７が掛けられるための十分な軸方向の幅を有している。そして、糸２７は糸支持台２６の整列方向に沿って糸支持台２６の頂部２６ａと、冷陰極管２１の下端と、に交互に接触して設けられる。
【００４３】
糸２７は、冷陰極管２１をクリップ２２の支持部２２ａに挿入する際に、冷陰極管２１と接触して下方へ押し下げられる。このとき、糸２７は所定の弛みを有して張られている。この弛みは、糸２７が押し下げられた際に発生する張力によって切れたり、冷陰極管２１に過度の上向きの張力をかけてクリップ２２から外したりしないような大きさとなる。またこの弛みは、押し下げられた後も冷陰極管２１の下端に接触して、冷陰極管２１に適度な上向きの張力を与える程度の大きさとなる。
【００４４】
このように、糸２７が冷陰極管２１に接触して上向きの張力が加えられる構成とすることによって、冷陰極管２１の振動を抑制することが可能となる。そのため、冷陰極管２１の振動及び音鳴りが低減される。
【００４５】
さらに、接触面積の大きいクリップ２２を用いる代わりに、接触面積の小さい糸２７を用いて冷陰極管２１を支持する構成とすることによって、冷陰極管２１から奪われる熱を極力少なくすることができる。そのため、始動直後における冷陰極管２１の低温部の発生を抑制し、それにより暗部の発生を抑制することができる。
【００４６】
また、所定の弛みを有する糸２７を糸支持台２６に掛けた後に、冷陰極管２１をクリップ２２の支持部２２ａに挿入するだけで、本実施形態における光源支持機構が容易に形成される。そのため、煩雑な製造工程を要することなく、冷陰極管２１の振動及び音鳴りを容易に低減することができる。
【００４７】
また、接触する糸２７が冷陰極管２１の下端となるため、糸２７が、冷陰極管２１から上方に出射される光を遮らないものとなる。したがって、照明装置２が出射する光に暗部を生じにくくすることができる。
【００４８】
なお、本実施形態においては、冷陰極管２１の間に設けられるとともに糸２７を下方から支持する下方支持部材の一例として、糸支持台２６を挙げて説明したが、下方支持部材はこの糸支持台２６の例に限られない。例えば、四角柱や円柱のようなものとしても構わないし、クリップ２２のように上部が開口した円環を備えたものとしても構わない。ただし、少なくとも冷陰極管２１の下端より上方となる位置で糸２７を支持するものとする。
【００４９】
また、糸支持台２６のように上方に向けて断面積が小さくなるものとすれば、冷陰極管２１から出射される光を妨げにくくなり、光ムラを低減することができるため好ましい。さらに、この糸支持台２６の表面を、光を反射する白色や鏡面で形成すると糸支持台２６による影ができにくくなるため好ましい。
【００５０】
また、糸支持台２６の頂部２６ａに溝を形成し、その溝に糸を掛けることとしても構わない。このように構成することで、糸２７を糸支持台２６からはずれにくくすることが可能となる。また、このように構成する場合、溝の底部、即ち糸２７が支持される位置が冷陰極管２１の下端より上方にあることとする。
【００５１】
また、本実施形態では、糸２７が冷陰極管２１の下端に接触する構成であれば、振動や音鳴りを抑制する効果を得ることができる。そのため、クリップ２２や糸支持台２６の整列方向、糸２７を張る方向などはどのような方向であっても構わない。ただし、冷陰極管２１の振動や音鳴りは、クリップ２２や糸２７が接触する部分の間隔の影響を受けるものであるため、振動や音鳴りが抑制される間隔で、クリップ２２や糸支持台２６及び糸２７を設けることとすると好ましい。
【００５２】
また、糸２７が糸支持台２６の整列方向に沿って一続きであるものとして説明したが、糸２７が一続きでないものとしても構わない。例えば、整列方向に隣接する糸支持台２６のそれぞれに端部が固定されるように、糸支持台２６の整列方向に沿って途切れた複数の糸２７を備える構成であっても構わない。このように構成すると、糸２７が切れたり糸支持台２６から外れたりする場合に、一つの冷陰極管２１にのみ影響が出ることとなる。そのため、糸２７が切れることによって振動や音鳴りが発生したとしても十分抑制されたものとなる。
【００５３】
＜第２実施形態＞
次に、本発明の第２実施形態について図３を用いて説明する。なお、第１実施形態と第２実施形態とは糸２７の張り方や糸２７を支持する構成のみが異なるものであり、その他の構成は同様のものとなる。そのため、その他の構成については詳細な説明を省略する。
【００５４】
図３は、本実施形態における光源支持機構の構成を示す斜視図である。図３に示すように、本実施形態では糸２７が冷陰極管２１の上端と接触するように構成される。また、冷陰極管２１の間に、少なくとも冷陰極管２１の上端よりも下方となる位置で糸２７を支持する円環状の糸支持部２８ａを備えた糸支持輪２８が設けられる。糸支持輪２８には、糸支持部２８ａの下部から下方に突出した固定部２８ｂが設けられており、固定部２８ｂが反射板２３に固定されることで糸支持輪２８が反射板２３上に固定される。なお、この糸支持輪２８は、第１実施形態において説明した糸支持台２６と同様の位置に配置させることとしても構わない。
【００５５】
糸２７は糸支持輪２８の糸支持部２８ａの内側の上端に掛けられるとともに、冷陰極管２１の上端に接触する。そのため糸２７は、糸支持輪２８の整列方向に沿って糸支持輪２８の糸支持部２８ａの内側の上端と、冷陰極管２１の上端と、に交互に接触して設けられる。
【００５６】
糸２７の両端は、冷陰極管２１に下向きの張力を加える程度に張られて筐体や糸支持輪２８に接続される。このとき、糸２７が切れず、冷陰極管２１が破損しない程度の張力がかけられることとなる。
【００５７】
このように、糸２７が冷陰極管２１に接触して下向きの張力を加える構成とすることによって、冷陰極管２１の振動を抑制することが可能となる。そのため、冷陰極管２１の振動及び音鳴りが低減される。さらに、接触面積の大きいクリップ２２を用いることなく、接触面積の小さい糸２７を用いて冷陰極管２１を支持する構成とすることによって、冷陰極管２１から奪われる熱を極力少なくすることができる。そのため、始動直後における冷陰極管２１の低温部の発生を抑制し、それにより暗部の発生を抑制することができる。
【００５８】
また、クリップ２２の支持部２２ａの開口部２２ｂが上部にあり、糸２７が冷陰極管２１の上端と接触して張力を下向きにかけるため、開口部２２ｂから冷陰極管２１が脱落することを抑制することが可能となる。
【００５９】
また、糸支持輪２８の表面を、光を反射する白色や鏡面で形成すると糸支持輪２８による影ができにくくなるため好ましい。また、糸２７も同様であり、光を反射する白色や鏡面、あるいは光が透過する透明とすると、冷陰極管２１から出射される光を糸２７が吸収したり遮ったりすることが抑制される。そのため、照明装置２が出射する光のムラを低減することが可能となる。
【００６０】
また、このような光源支持機構は、冷陰極管２１をクリップ２２の支持部２２ａに挿入した後に、糸２７を冷陰極管２１の上端と、糸支持輪２８の糸支持部２８ａの内側と、を順に通すことによって得ることができる。またこの他にも、糸支持輪２８の支持部の内側に予め糸２８を通すとともに、糸の下方となる位置に軸方向から冷陰極管２１を挿入するとともにクリップ２２に固定し、最後に糸２７を冷陰極管２１の整列方向に沿って張り、適度な張力を冷陰極管２１に掛けた上で端部を固定することなどによって得ることができる。
【００６１】
なお、本実施形態においては、冷陰極管２１の間に設けられるとともに糸２７を上方から支持する上方支持部材の一例として、糸支持輪２８を挙げて説明したが、上方支持部材はこの糸支持輪２８の例に限られない。例えば、上方支持部材をアーチ状として、アーチの内側の上端に糸２７が支持される構成としても構わない。ただし、少なくとも冷陰極管２１の上端より下方となる位置で糸２７を上方から支持するものとする。
【００６２】
また、他の例として、第１実施形態と上下が逆の構成、即ち、拡散板２４に下方へと突出するとともに糸２７を上方から支持する上方支持部材を設けるとともに、この部材によって糸２７を冷陰極管２１の上端よりも下へ押し付けて支持し、糸２７を冷陰極管２１の上端に接触させる構成としても構わない。
【００６３】
この構成とする場合、冷陰極管２１をクリップ２２の支持部２２ａに挿入した後に、冷陰極管２１の上側に所定の弛みを有する糸２７を配置して、拡散板２４を配置する際にこの部材によって糸２７を押し下げて冷陰極管２１に接触させても構わない。また、予めこの上方支持部材に糸２７を掛けておき、拡散板２４を冷陰極管２１の上方に配置する際に冷陰極管２１に接触させることとしても構わない。さらに、この上方支持部材が拡散板２４近傍において十分細い形状となれば、冷陰極管２１から出射される光を妨げにくくなるため好ましい。
【００６４】
さらに他の例として、糸支持輪２８の円環状となる糸支持部２８ａの上部に切れ目を入れて、切れ目に糸を押し付けることによって支持部２８ａの内側に糸２７が挿入されることとしても構わない。また、切れ目から糸２７が外側へ外れないようにするために、切れ目の近傍にかえしを設けても構わないし、円環の上端からはずれた位置に切れ目を設けても構わない。このように構成することによって、容易に糸支持輪２８の糸支持部２８ａの内側へ糸２７を挿入するとともに、糸２７を上方から支持することができる。
【００６５】
また、本実施形態では、糸２７が冷陰極管２１の上端に接触して張力を与える構成であれば、冷陰極管２１の振動や音鳴りを抑制する効果を得ることができる。そのため、糸２７を張る方向はどのような方向であっても構わない。ただし、冷陰極管２１の振動や音鳴りは、クリップ２２や糸２７が接触する部分の間隔の影響を受けるものであるため、振動や音鳴りが発生しない間隔で、クリップ２２や糸支持輪２８及び糸２７を設けることとすると好ましい。
【００６６】
また、糸２７が糸支持輪２８の整列方向に沿って一続きであるものとして説明したが、糸２７が一続きでないものとしても構わない。例えば、整列方向に隣接する糸支持輪２８のそれぞれに端部が固定されるように、糸支持輪２８の整列方向に沿って途切れた複数の糸２７を備える構成であっても構わない。このように構成すると、糸２７が切れたり糸支持輪２８から外れたりする場合に、一つの冷陰極管２１にのみ影響が出ることとなる。そのため、糸２７が切れたり外れたりすることによって振動や音鳴りが発生したとしても、十分抑制されたものとなる。
【００６７】
＜第３実施形態＞
次に、本発明の第３実施形態について図４を用いて説明する。なお、第１及び第２実施形態と第３実施形態とは、糸２７の張り方や糸２７を支持する構成のみが異なるものであり、その他の構成は同様のものとなる。そのため、その他の構成については詳細な説明を省略する。
【００６８】
図４は、本発明の第３実施形態における光源支持機構の構成を示す斜視図である。図４に示すように、本実施形態では冷陰極管２１の上端と下端とに糸２７が接触する構成となる。
【００６９】
また、図４では本実施形態の一例として、冷陰極管２１の整列方向に沿って、糸２７が隣接する冷陰極管２１の上端と、下端とに交互に掛けられる場合について示している。このように糸２７が隣接する冷陰極管２１の上端と下端とに交互に掛けられることで、糸２７から隣接する冷陰極管２１にそれぞれ下向き、上向きとなる張力が与えられる。
【００７０】
このような光源支持機構は、冷陰極管２１をクリップ２２の支持部２２ａに挿入した後に、糸２７を冷陰極管２１の隙間を通して配置することで得ることができる。またこの他にも、予め糸２７を張り、糸２７の下方または上方となる位置に軸方向から冷陰極管２１を挿入するとともにクリップ２２に固定し、最後に糸２７の両端を冷陰極管２１の整列方向に沿って張り、適度な張力を冷陰極管２１にかけた上で両端を固定することなどによって得ることができる。
【００７１】
このように、糸２７が冷陰極管２１に接触して下向き及び上向きの張力が加えられる構成とすることによって、冷陰極管２１の振動を抑制することが可能となる。そのため、冷陰極管２１の振動及び音鳴りが低減される。さらに、接触面積の大きいクリップ２２を用いることなく、接触面積の小さい糸２７を用いて冷陰極管２１を支持する構成とすることによって、冷陰極管２１から奪われる熱を極力少なくすることができる。そのため、始動直後における冷陰極管２１の低温部の発生を抑制し、それにより暗部の発生を抑制することができる。
【００７２】
また、このように構成することで、第１実施形態において説明した糸支持台２６などの下方支持部材や、第２実施形態において説明した糸支持輪２８などの上方支持部材を要せずに、隣接する冷陰極管２１の上端と下端とに交互に糸２７を接触させることが可能となる。そのため、支持部材を減らして構成を簡略化することができる。
【００７３】
なお、第１実施形態で示した糸支持台２６や第２実施形態で示した糸支持輪２８と同様の支持部材を備え、糸２７が冷陰極管２１の上端と下端とに接触するものとしても構わない。このように構成することで、隣接する冷陰極管２１の上端と下端とに交互に糸２７を掛けることを要しなくなる。即ち、冷陰極管２１の上端と下端とのどちらに糸２７を接触させるかを、糸２７や冷陰極管２１毎に任意に設定することが可能となる。
【００７４】
また、図５に示すように、冷陰極管２１の軸方向に隣接する糸２７が、冷陰極管２１の上端と下端とに交互に掛けられることとしても構わない。例えば、ある糸２７がある冷陰極管２１の上端に掛かる場合、その糸２７に隣接する糸２７は、その冷陰極管２１の下端にかかる構成となる。
【００７５】
即ち、ある糸２７に着目すると、ある糸２７は、整列する冷陰極管２１のそれぞれに対して、上端、下端と順に交互に掛かることとなる。さらに、ある冷陰極管２１に着目すると、軸方向に対して整列する糸２７が、上端、下端と順に交互に掛かることとなる。このように、冷陰極管２１の整列方向及び軸方向に沿って糸２７が上端、下端と順に交互に掛かる構成としても構わない。
【００７６】
このように構成することによって、糸２７から与えられえる張力に偏りが生じにくくなるため、冷陰極管２１にかかる力が釣り合いやすくなる。そのため、冷陰極管２１全体を安定して支持することが可能となる。また、必ず冷陰極管２１の上端に糸２７が掛かることとなるので、冷陰極管２１がクリップ２２の支持部２２ａの開口部２２ｂから脱落することが抑制される。
【００７７】
＜第４実施形態＞
次に、本発明における第４実施形態について図６を用いて説明する。なお、第４実施形態と第１〜第３実施形態とは糸２７の張り方や糸２７を支持する構成のみが異なるものであり、その他の構成は同様のものとなる。そのため、その他の構成については詳細な説明を省略する。
【００７８】
図６は、本発明の第４実施形態における光源支持機構の構成を示す斜視図である。図６に示すように、本実施形態では、糸２７に関する限り図５に示した構成と同様のものとなる。即ち、糸２７が、冷陰極管２１の整列方向に沿って上端、下端と順に交互に掛けられるとともに、冷陰極管２１の軸方向に沿って上端、下端と順に交互に掛けられる。
【００７９】
また、本実施形態では第１〜第３実施形態について説明したクリップ２２を備えない構成であり、糸２７がクリップ２２の代わりに冷陰極管２１を支持する構成となる。なお、電極２５が接続される冷陰極管２１の両端近傍は、クリップ２２や筐体などによって支持されることとしても構わない。本実施形態において備えないとしたクリップ２２とは、冷陰極管２１の自重による撓みを抑制するために冷陰極管２１の端部近傍以外に設けられるものであり、図１〜図５に示したクリップ２２を指すこととする。
【００８０】
このような光源支持機構は、冷陰極管２１の両端を固定した後に、糸２７を冷陰極管２１の隙間を通して配置することで得ることができる。また、予め糸２７を張るとともに糸２７の下方または上方となる位置に、軸方向から冷陰極管２１を挿入し、冷陰極管２１の両端をそれぞれ固定し、最後に糸２７を冷陰極管２１の整列方向に沿って張り、適度な張力を冷陰極管２１にかけている状態で糸２７の端部を固定することなどによって得ることができる。
【００８１】
このような構成とすることで、冷陰極管２１の自重による撓みを防ぐために最低限必要であったクリップ２２をも要しない構成とすることができる。そのため、クリップ２２に熱が奪われることにより生じる低温部を無くすことが可能となり、暗部の発生をさらに抑制することができる。
【００８２】
なお、上述した第１〜第４実施形態において、糸２７を細くし、かつプラスチックやナイロン、ポリエステルなどの材料を用いることで熱容量を小さくすると、冷陰極管２１の糸２７が接触する狭い領域までも暗部になりにくくなるため好ましい。また、糸２７が光を反射する白色や鏡面、あるいは光が透過する透明であるとすると、冷陰極管２１から出射される光を糸２７が吸収したり遮ったりすることが抑制される。そのため、照明装置２出射する光のムラを低減することが可能となる。
【００８３】
また、冷陰極管２１の軸方向に隣接する糸２７の間隔について、冷陰極管２１の一端近傍における間隔を狭く、他端近傍における間隔を広くしても構わなく、冷陰極管２１の一端近傍にインバータを配置しても構わない。この構成にすることによって、冷陰極管２１の振動や音鳴りを効率よく低減することが可能となる。
【産業上の利用可能性】
【００８４】
本発明は、冷陰極管に代表される線光源を支持する光源支持機構に利用することができる。また、この光源支持機構を利用した照明装置や、この照明装置を利用した液晶表示装置に利用することができる。
【図面の簡単な説明】
【００８５】
【図１】は、本発明の第１実施形態における液晶表示装置の構成の概略を示す分解斜視図である。
【図２】は、本発明の第１実施形態における光源支持機構の構成を示す斜視図である。
【図３】は、本発明の第２実施形態における光源支持機構の構成を示す斜視図である。
【図４】は、本発明の第３実施形態における光源支持機構の構成を示す斜視図である。
【図５】は、本発明の第３実施形態における光源支持機構の構成を示す斜視図である。
【図６】は、本発明の第４実施形態における光源支持機構の構成を示す斜視図である。
【符号の説明】
【００８６】
１      液晶表示装置
２      照明装置
２１    冷陰極管
２２    クリップ
２２ａ  支持部
２２ｂ  開口部
２２ｃ  固定部
２３    反射板
２３ａ  固定孔
２４    拡散板
２５    電極
２６    糸支持台
２６ａ  頂部
２７    糸
２８    糸支持輪
２８ａ  糸支持部
２８ｂ  固定部
３      液晶パネル
３１、３２  基板
３３、３４  偏光板
【図１】
2009064712.tif 000003
【図２】
2009064712.tif 000004
【図３】
2009064712.tif 000005
【図４】
2009064712.tif 000006
【図５】
2009064712.tif 000007
【図６】
2009064712.tif 000008